(57)【要約】【課題】連続操作で安全で容易に蓋開放できるイージーオープンエンド缶詰蓋オープナー【解決手段】蓋剥離板に固定された軸を回転支点として回転するプルトップ引掛け治具の先端を缶蓋に沿わせてプルトップ側に押し込み、プルトップに引掛けた後に蓋剥離板に設けたストッパーに当たるまでプルトップ引っかけ冶具を回転させることによりプルトップに垂直方向の力を加えてプルトップを引き起こして缶蓋の一部に亀裂部分を発生させる。更に蓋剥離板の側面をプルトップに押しつけて引き起こして亀裂を進行させた後、プルトップを引掛けたままで一体となったプルトップ引掛け治具と蓋剥離板を蓋剥離板の底面部を支点として回転させることにより缶詰め上蓋を開放する。【選択図】図１
2016094237.tif 000002
【特許請求の範囲】
【請求項１】
本発明のオープナーはフルオープンエンド缶の蓋を開けるためのものであり、プルトップ引掛け治具と、該プルトップ引掛け治具に回動自在に取り付けられた蓋剥離板で構成される。引掛け治具は、缶のプルトップを引掛ける爪部と、人が持って操作する把持部から成り、蓋剥離板に固定された軸を回転支点として回動する。蓋剥離板には、缶蓋に当接する底面部、プルトップ引掛け治具を持ち上げるときの回転支点部（角部）および引掛け治具と蓋剥離板との回動を制限するストップ機能（人が制限するのを含む）を有する缶蓋オープナー
【請求項２】
請求項１で蓋剥離板の形状が把持部を有する缶蓋オープナーで、引掛け治具の回動は蓋剥離板により制限される缶蓋オープナー
【請求項３】
請求項２でプルトップ引掛け治具と２枚の蓋剥離板で構成される缶蓋オープナーで自立式の缶蓋オープナー
【請求項４】
請求項１でプルトップ引っかけ冶具の初期位置を自動的に規制するプルトップ引掛け冶具位置規制ストッパーとスプリングを有する缶蓋オープナー
【発明の詳細な説明】
【技術分野】
【０００１】
本発明は、フルオープンエンド缶詰め蓋の開放に関するものである。
【背景技術】
【０００２】
フルオープンエンドの缶詰めにおいて、特に幼児、若年者、女性、老人等の指先の力の弱い人、或いはつけ爪、長爪、短爪等の弱い爪の人達にとり、プルトップの引き起こしから缶蓋の開放までの作業は指先の力が必要のため容易では無く、しかも爪の破損や、鋭利な缶蓋により怪我をする原因となっている。これに対応した梃子を利用した単体の道具等が提供されているが、使用方法が理解しづらく、不安全であり、容易な作業ではない。
【先行技術文献】
【特許文献】
【０００３】
実用新案登録第３１６０１８２号（Ｕ３１６０１８２）
【発明の概要】
【発明が解決しようとする課題】
【０００４】
本装置はフルオープンエンド缶詰めにおいて、プルトップの引き起こしから缶蓋の開放までを１連続動作で容易で安全に行える缶詰め蓋オープナー装置である。
【課題を解決するための手段】
【０００５】
本発明は、蓋剥離板に固定された軸を回転支点として回転するプルトップ引掛け治具の先端を缶蓋に沿わせてプルトップ側に押し込み、プルトップに引掛けた後にプルトップ引っかけ冶具を蓋剥離板に設けたストッパーに当たるまで回転させることによりプルトップに垂直方向の力を加えてプルトップを引き起こして缶蓋の一部に亀裂部分を発生させる。蓋剥離板の側面をプルトップに押しつけて更に引き起こして亀裂を進行させた後、プルトップを引掛けたままで一体となったプルトップ引掛け治具と蓋剥離板を蓋剥離板の底面部を支点として回転させることにより缶詰め上蓋を開放させる。
【発明の効果】
【０００６】
本装置はフルオープンエンド缶詰めにおいて、プルトップの引き起こしから缶蓋の開放までを１連続動作で安全で容易に行える缶詰め蓋オープナー装置である。
【図面の簡単な説明】
【０００７】
【図１】本発明の立体図である。
【図２】本発明の平面図である。
【図３】本発明の操作方法を示す図である
【図４】本発明の他の実施例１に関する立体図である
【図５】本発明の他の実施例１に関する平面図である
【図６】本発明の他の実施例２の立体分解図である
【図７】本発明の他の実施例２の平面図である
【発明を実施するための形態】
【０００８】
この発明の実施形態を図１、図２、図３、図４、図５、図６、図７に示す。
【０００９】
図１、図２に示す通り、プルトップ引掛け治具（図の１）はプルトップを掬い易く、外れにくい様に先端部が楔状で、続く部分はフック形状となっており、先端部より約１０ｍｍ〜３０ｍｍ位置で回転する構造である。プルトップ引掛け治具は蓋剥離板（図の２）の底面より約１０〜３０ｍｍ高さ位置（図２のＬ１）に設けた固定軸（図の３）を軸中心に回転する構造であり、固定軸はプルトップ引掛け治具の先端が蓋剥離板の底面の前部角位置付近となる位置となっており、蓋剥離板の底面の長さは約３０〜５０ｍｍ（図２のＬ２）である。蓋剥離板の前部下角は面取りが施されていて、プルトップ引掛け治具の先端の楔部分がプルトップを掬い易くなっている。蓋剥離板前部のプルトップの接触面は底面に対し４５度〜９０度の傾斜角度（図２のα）となっている。プルトップ引掛け治具を回転させてプルトップを引き上げ後、蓋剥離板に設けたストッパー（図の４）に接触した後は、プルトップ引掛治具と蓋剥離板が一体となって蓋剥離板の底面部を支点にして回転し、缶蓋を剥離して開放する。
【実施例１】
【００１０】
図３は本装置のプルトップの引掛けから、缶蓋開放までの操作の手順を示したものである。
【００１１】
図４、図５は本発明の他の実施例１で、蓋剥離板に取手部を設けた物で、図中のＨに示す様に把持部を手で握り、蓋剥離板の底面を缶蓋の上面に沿って押し出して、プルトップ引掛け治具がプルトップを掬いあげた後に、プルトップ引掛け治具にかけた指を絞ってプルトップを引き起こし、更に蓋剥離板を前進させて、蓋剥離板の前部側面でプルトップを引き起こした後、プルトップ引掛け治具と蓋剥離板を一体にして、蓋剥離板の底面部を支点として、プルトップ引掛け治具でプルトップを引掛けたまま回転させることにより缶蓋を開放する。
【００１２】
図６、図７は他の実施例２の立体分解図と平面図で、図中に示す通り、プルトップ引掛け治具と2枚の把持部付き蓋剥離板（図の６−ａ、６−ｂ）で構成される構造となっており、2枚の蓋剥離板で支えられることにより操作が安定して行えると同時に、本体が自立するため保管が容易である。
【００１３】
図６、図７の図中に示すスプリング（図の７）を設けることにより、プルトップ引掛け治具をプルトップ位置規制ストッパー（図の５）により自動的に初期位置に戻るようにすることにより、プルトップの引掛け時の操作性が容易となる。
【産業上の利用可能性】
【００１４】
垂直方向に持ち上げる機能および回転により水平方向の力と垂直方向の持ち上げを助力する、２種類の機能動作を連続的に行うことを可能にする本機構により、例えば重量物ではめ込み方式の蓋を有する排水溝溝蓋、マンホール等の開放を安全かつ容易にする等の用途にも適用できる。
【符号の説明】
【００１５】
１  プルトップ引掛け治具
２  蓋剥離板
３  プルトップ引掛け治具回転軸
４  回転ストッパー
５  プルトップ引掛け治具位置規制ストッパー
Ｌ１  固定軸の蓋剥離板底面からの高さ
Ｌ２  蓋剥離板底面の長さ
α  蓋剥離板前面側面と底面との傾斜角度
Ａ  プルトップ引掛け
Ｂ  プルトップ引き起こして缶蓋の切り口の形成
Ｃ  前進によるプルトップ引き起こし
Ｄ  蓋剥離板の底面部を支点として回転させて缶蓋の剥離
Ｅ  缶蓋の剥離完了
６  把持部付き蓋剥離板
Ｈ  手
６−ａ  右把持部付き蓋剥離板
６−ｂ  左把持部付き蓋剥離板
７  スプリング
８−ａ  上部蓋剥離板固定軸
８−ｂ  下部蓋剥離板固定軸
９−ａ  スペーサー１
９−ｂ  スペーサー２
【図１】
2016094237.tif 000003
【図２】
2016094237.tif 000004
【図３】
2016094237.tif 000005
【図４】
2016094237.tif 000006
【図５】
2016094237.tif 000007
【図６】
2016094237.tif 000008
【図７】
2016094237.tif 000009